【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
ＣＤＭＡ通信ネットワーク内の受信機においてブロードキャストメッセージをフィルタリングする方法において、
ＣＤＭＡ通信ネットワーク内の受信機においてブロードキャストメッセージを受信することと、
前記受信されたブロードキャストメッセージに１つ以上のフィルタリング基準を適用することであって、前記フィルタリング基準は、前記受信機に接続された脱着可能なモジュールに記憶された設定により定義され、前記１つ以上のフィルタリング基準は、すべてのブロードキャストメッセージは受信可能である、ブロードキャストメッセージは受信可能でない、またはサービステーブルにプログラムされたエントリのためのブロードキャストメッセージのみが受信可能であることを示すネットワーク構成設定を備え、前記サービステーブルは、複数のエントリを備え、各エントリは、情報ブロードキャストサービスカテゴリ、前記情報ブロードキャストサービスカテゴリの言語、および前記エントリの受信または非受信のユーザー選択を備えることと、
前記受信したブロードキャストメッセージが前記１つ以上のフィルタリング基準によりフィルタリングされていないなら、前記受信したブロードキャストメッセージを処理することであって、前記すべてのブロードキャストメッセージが受信可能である、前記ブロードキャストメッセージが受信可能でない、およびサービステーブルにプログラムされたエントリのためのブロードキャストメッセージのみが受信可能であることを含むメッセージを供給するように、前記ネットワーク構成設定は動作可能であることとを備えた方法。
【請求項２】
前記ネットワーク構成設定は、前記脱着可能モジュール内の第１基本ファイルに記憶される、請求項１の方法。
【請求項３】
前記１つ以上のフィルタリング基準は、ユーザーが決定したフィルタリング基準を含む、請求項１の方法
【請求項４】
前記ユーザーが決定したフィルタリング基準は、すべてのブロードキャストメッセージが受信される、ブロードキャストメッセージが受信されない、または、サービステーブル内にプログラムされたエントリのためのブロードキャストメッセージのみが受信されることを示すユーザー構成設定によって定義される、請求項３の方法。
【請求項５】
前記ユーザー構成設定は、前記脱着モジュール内の第２基本ファイルに記憶される、請求項４の方法。
【請求項６】
前記１つ以上のフィルタリング基準は、ユーザーの好みに対してユーザーが選択した基準を含む、請求項１の方法。
【請求項７】
前記ユーザーが選択したフィルタリング基準は、情報ブロードキャストサービスカテゴリ、サービスカテゴリ言語の組み合わせ、またはサービスカテゴリ言語優先度の組み合わせに基づいてブロードキャストメッセージのフィルタリングを可能にする、請求項６の方法。
【請求項８】
前記ユーザーが選択したフィルタリング基準は前記サービステーブル内にプログラムされたエントリに適用する、請求項６の方法。
【請求項９】
前記サービステーブル内の各エントリは、情報ブロードキャストサービスカテゴリと言語の固有の組み合わせに相当する、請求項８の方法。
【請求項１０】
前記サービステーブル内の各エントリはユーザーにより選択することができ、または選択することができず、前記サービステーブルが使用のためにイネーブルになるなら、選択されたエントリのためのブロードキャストメッセージのみが処理されてもよい、請求項８の方法。
【請求項１１】
前記サービステーブルおよびユーザーが選択したフィルタリング基準は、前記脱着可能なモジュール内の第３の基本ファイルに記憶される、請求項８の方法。
【請求項１２】
受信したブロードキャストメッセージの重複を検出することをさらに備え、前記受信したブロードキャストメッセージは、重複が検出されない場合にのみ処理される、請求項１の方法。
【請求項１３】
前記無線通信ネットワークはＡＮＳＩ−４１を実施するｃｄｍａ２０００ネットワークである、請求項１の方法。
【請求項１４】
ＣＤＭＡ通信ネットワーク内の移動局においてブロードキャストメッセージをフィルタリングする方法において、
ＣＤＭＡ通信ネットワーク内の移動局においてブロードキャストメッセージを受信することと、
サービスプロバイダーにより課されたフィルタリング基準を前記受信したブロードキャストメッセージに適用することと、
ユーザーが決定したフィルタリング基準を前記受信したブロードキャストメッセージに適用することと、
ユーザーが選択したフィルタリング基準を前記受信したブロードキャストメッセージに適用することであって、前記フィルタリング基準は前記移動局に接続された脱着可能なモジュールに記憶されることと、および
前記受信したブロードキャストメッセージが前記フィルタリング基準によりフィルターされないなら前記受信したブロードキャストメッセージを処理することであって、前記サービスプロバイダーが課したフィルタリング基準は、ネットワーク構成設定により定義され、前記ネットワーク構成設定は、すべてのブロードキャストメッセージが受信可能である、ブロードキャストメッセージは受信可能でない、およびサービステーブル内にプログラムされたエントリのためのブロードキャストのみが受信可能であることを含むメッセージを供給するように、動作可能であることとを備えた方法。
【請求項１５】
前記サービスプロバイダーが課したフィルタリング基準は、ネットワーク構成設定により定義され、前記ユーザーが決定したフィルタリング基準はユーザー構成設定により定義され、前記ユーザーが選択されたフィルタリング基準はサービステーブル内でプログラムされたエントリに対して定義される、請求項１４の方法。
【請求項１６】
前記ネットワーク構成設定、ユーザー構成設定、およびサービステーブルは、脱着可能なモジュール内の１つ以上の基本ファイルに記憶される、請求項１５の方法。
【請求項１７】
無線ＣＤＭＡ通信ネットワーク内の受信機においてブロードキャストメッセージをフィルターするために使用されるネットワーク構成設定をプログラムする方法において、
前記ＣＤＭＡ通信ネットワーク内の受信機にプログラムされる前記ネットワーク構成設定を運ぶメッセージを交換することであって、前記ネットワーク構成設定は、ブロードキャストメッセージを受信するための前記受信機の能力を決定し、前記受信機のためのネットワーク構成設定は、すべてのブロードキャストメッセージが受信可能である、ブロードキャストメッセージが受信可能でない、またはサービステーブル内のプログラムされたエントリのためのブロードキャストメッセージのみが受信可能であることを示し、
前記ネットワーク構成設定は、すべてのブロードキャストメッセージが受信可能である、ブロードキャストメッセージが受信可能でない、およびサービステーブル内にプログラムされたエントリのためのブロードキャストメッセージのみが受信可能であることを含むメッセージを提供するように動作可能であることを備えた方法。
【請求項１８】
ＣＤＭＡ通信ネットワークにおいてブロードキャストメッセージを受信し、１つ以上のフィルタリング基準を前記受信したブロードキャストメッセージに適用することであって、前記フィルタリング基準は、脱着可能なモジュールに記憶された設定により定義され、前記１つ以上のフィルタリング基準は、すべてのブロードキャストメッセージが受信可能である、ブロードキャストメッセージが受信可能でない、サービステーブル内にプログラムされたエントリのためのブロードキャストメッセージのみが受信可能であることを示すネットワーク構成設定を備え、前記サービステーブルは複数のエントリを備え、各エントリは、情報ブロードキャストサービスカテゴリ、情報ブロードキャストサービスカテゴリの言語、および前記エントリの受信または非受信のユーザー選択を備えた、１つ以上のフィルタリング基準を前記受信したブロードキャストメッセージに適用し、
前記受信したブロードキャストメッセージが前記１つ以上のフィルタリング基準によりフィルターされないなら前記受信したブロードキャストメッセージを処理することであって、前記ネットワーク構成設定は、すべてのブロードキャストメッセージが受信可能である、ブロードキャストメッセージが受信可能でない、およびサービステーブル内にプログラムされたエントリのためのブロードキャストメッセージのみが受信可能であることを含むメッセージを供給するように動作可能である、ブロードキャストメッセージを処理する、
ためにデジタル情報を解釈することができるデジタル信号処理装置（ＤＳＰＤ）に通信可能に接続されたメモリ。
【請求項１９】
入力されるブロードキャストメッセージをフィルターするように動作可能な、無線ＣＤＭＡ通信ネットワーク内の装置において、
前記ＣＤＭＡ通信ネットワークにおいてブロードキャストメッセージを受信する手段と、
１つ以上のフィルタリング基準を前記受信したブロードキャストメッセージに適用する手段であって、前記１つ以上のフィルタリング基準は、すべてのブロードキャストメッセージが受信可能である、ブロードキャストメッセージが受信可能でない、サービステーブル内にプログラムされたエントリのためのブロードキャストメッセージのみが受信可能であることを示すネットワーク構成設定を備え、前記サービステーブルは複数のエントリを備え、各エントリは、情報ブロードキャストサービスカテゴリ、情報ブロードキャストサービスカテゴリの言語、および前記エントリの受信または非受信のユーザー選択を備える手段と、
前記フィルタリング基準を示す設定を記憶する脱着可能なモジュールと、
前記受信したブロードキャストメッセージが１つ以上のフィルタリング基準によりフィルターされるなら前記受信したブロードキャストメッセージを処理する手段であって、前記ネットワーク構成設定は、すべてのブロードキャストメッセージが受信可能である、ブロードキャストメッセージが受信可能でない、およびサービステーブル内にプログラムされたエントリのためのブロードキャストメッセージのみが受信可能であることを含むメッセージを供給するように動作可能である、処理手段とを備えた装置。
【請求項２０】
前記１つ以上のフィルタリング基準は、ユーザー構成設定により定義されたユーザーが決定したフィルタリング基準を含む、請求項２２の装置。
【請求項２１】
前記１つ以上のフィルタリング基準は、情報ブロードキャストサービスカテゴリ、サービスカテゴリ言語組み合わせ、またはサービスカテゴリ言語優先度組み合わせに基づいてブロードキャストメッセージのフィルタリングを可能にするユーザーが選択したフィルタリング基準を含む、請求項１９の装置。
【請求項２２】
前記脱着可能なモジュールは、１つ以上の基本ファイルに前記設定を記憶する、請求項１９の装置。
【請求項２３】
前記ユーザーが選択したフィルタリング基準はさらに（ａ）サービスカテゴリと言語の組み合わせのユーザー選択および（ｂ）サービステーブル内のエントリのために記憶してもよいブロードキャストメッセージの最大数の少なくとも１つを備えた、請求項７の方法。
【請求項２４】
前記ユーザーが選択したフィルタリング基準は、さらに（ａ）サービスカテゴリと言語の組み合わせのユーザー選択および（ｂ）サービステーブル内の任意のエントリのために記憶してもよいブロードキャストメッセージの最大数の少なくとも１つをそなえた、請求項２１の装置。